【事件の表示】
　平成１１年特許願第１７６４２４号「木材プレカット加工用ＣＡＤ／ＣＡＭデータ作成装置」拒絶査定不服審判事件〔平成１３年　１月　９日出願公開、特開２００１−　　１３１７〕について、次のとおり審決する。
【結　論】
　本件審判の請求は、成り立たない。
【理　由】
【１】手続きの経緯
　本願は、平成１１年６月２３日にされた出願であって、平成１９年８月６日付けで拒絶査定がなされ、これに対し、同年９月１１日に審判請求がなされるとともに、同日付けで手続補正がなされたものである。
　
【２】本願発明
１．本願発明
　本願の請求項１に係る発明は、平成１９年９月１１日付けの手続補正書により補正された明細書の特許請求の範囲の請求項１に記載された事項により特定される次のとおりのものと認める。
「在来軸組工法による木造住宅建築のための木材プレカット加工用ＣＡＤ／ＣＡＭデータ作成装置であって、以下の構成を備えたことを特徴とする木材プレカット加工用ＣＡＤ／ＣＡＭデータ作成装置。
　（１１）家屋の図面に基づき、柱材、横架材の裁断、ホゾ、ホゾ孔等の仕口加工のための加工データを生成するための演算処理プログラムをインストールされたコンピュータによって構成されていること。
　（１２）前記演算処理プログラムは、屋根勾配及び破風板の幅を考慮して、桁のけらば落としのための加工情報を生成するけらば落とし加工情報生成プログラムを含んでいること。
　（１３）前記けらば落とし加工情報生成プログラムは、以下のステップを備えた演算処理プログラムとして構成されていること。
　　（１３−１）屋根高さ及び屋根勾配に関する情報を設定するステップを備えていること。
　　（１３−２）前記（１３−１）のステップは、屋根高さ及び屋根勾配に関する情報について、予め設定されている標準仕様の情報と、任意入力による情報のいずれを用いるかを判定し、任意入力による情報を用いると判定された場合には、入力手段を介して入力された屋根高さ及び屋根勾配に関する情報を前記桁のけらば落としのための加工情報を算出するための演算処理に用いる情報として設定し、標準使用の情報を用いると判定された場合には、標準仕様の情報を前記けらば落としのための加工情報を算出するための演算処理に用いる情報として設定するステップを含んでいること。
　　（１３−３）屋根高さ、屋根勾配及び破風板の幅に関する情報と、桁の取付位置及び寸法・形状に関する情報とから、当該桁の側面と破風板の上縁及び下縁との交点を算出するステップを備えていること。
　　（１３−４）前記（１３−３）のステップにより、破風板の上縁側にけらば落としの必要な範囲が存在する結果が算出された場合は、当該桁の屋根頂上側の側面について算出された交点の高さを当該桁の高さに変更するステップを備えていること。
　　（１３−５）前記（１３−３）のステップにより、破風板の下縁側にけらば落としの必要な範囲が存在する結果が算出された場合は、当該桁の壁面からの延在長さを算出し、当該桁の先端から前記延在長さに対応する範囲を前記けらば落としのための加工範囲とするステップを備えていること。」
（以下、上記請求項１に係る発明を「本願発明」という。）
　
２．刊行物に記載された発明
（１）刊行物１
　原査定の拒絶の理由に引用され、本願出願前に頒布された刊行物である、特開平１１−１２４９４１号公報（以下、「刊行物１」という。）には、以下の記載がある。
（１ａ）「【従来の技術】近年、木造住宅の建築においてプレカット材を用いる工法が普及している。・・・」（段落【０００２】）
（１ｂ）「一方、垂木１１については、プレカット加工の際に、その側面に対して軒桁１に対する位置合わせ用の基準線１３を記入しておく。この基準線１３は、図１（Ａ）に示す様に、垂木１１の側面上縁において先端１１ａから距離Ｌ１離れた点Ａを通り、かつ、垂木１１の上面１１ｂ及び下面１１ｃに垂直な線に対して屋根勾配に対応する角度θだけ先端側に傾いたものとされている。ここで、距離Ｌ１は、軒桁１の芯線５からの張り出し長さＬ２と屋根勾配角度θとによって決定される。より具体的には、この張り出し長さＬ２を底辺とし、屋根勾配角度θを底辺と斜辺の間の角とする直角三角形の斜辺の長さとなる様に、三角関数を用いた幾何学的な演算により、Ｌ１＝Ｌ２／ｃｏｓθとして簡単に求めることができる。」（段落【００１６】）
（１ｃ）「・・・プレカット装置２０は、図５に示す様に、ＣＡＤ装置等によって構成される加工データ入力装置６１からの指令を受けて各種制御動作を実行するための制御装置６０を中心に構成されている。・・・」（段落【００２６】）
（１ｄ）「垂木のプレカットに当たっては、図６に示す様に、まず、加工データ入力装置６１から加工データの入力を行う（Ｓ１０）。本実施の形態では、加工データとして、垂木１１の先端形状、基準線記入のための移動距離Ｌ、全長、後端形状、屋根勾配角度θ等が入力されるものとする。なお、移動距離Ｌは、垂木１１における張り出し長さＬ２、屋根勾配角度θ、高さ（側面の幅）Ｂ、切断位置と墨線記入位置との間隔Ｌ０等の形で入力することとし、制御装置６０側で、移動距離Ｌを計算する様にしてもよい。
こうして加工データが入力されると、まず、コンベア駆動装置６３を駆動して垂木用の材料を切断位置へと搬送する（Ｓ２０）。このとき、垂木用の材料の先端が切断位置を所定距離超えた位置に達したことを検出するリミットスイッチやフォトセンサ等を備えさせておくとよい。」（段落【００２８】〜【００２９】）
　
　そして、刊行物１に記載された「加工データ入力装置６１」は、ＣＡＤ装置等によって構成されるものであるから、垂木の加工データを生成するための情報を基に垂木の加工データを生成するための演算プログラムがインストールされたコンピュータによって構成されていることは明らかである。
　また、「制御装置６０」は、該「加工データ入力装置６１」によって作成された加工データを基に垂木を加工するための駆動装置（コンベア駆動装置６３等）を制御するものであって、垂木に基準線を記入するための移動させるべき距離Ｌは、制御装置６０側で計算する様にしてもよい旨の記載があることから、刊行物１に記載された「加工データ入力装置６１」と「制御装置６０」とによって「木材プレカット加工用ＣＡＤ／ＣＡＭデータ作成装置」が構成されているということができる。
　
　したがって、上記記載事項（１ａ）乃至（１ｄ）、及び図面の記載からみて、刊行物１には、以下の発明が記載されているものと認められる。
　
「木造住宅の建築のための木材プレカット加工用ＣＡＤ／ＣＡＭデータ作成装置であって、垂木の加工データを生成するための情報に基づいて垂木の加工データを生成する演算処理プログラムをインストールされたコンピュータを備えた木材プレカット加工用ＣＡＤ／ＣＡＭデータ作成装置。」（以下、「刊行物１記載の発明」という。）
　
３．対比・判断
　本願発明と刊行物１記載の発明とを対比すると、刊行物１記載の発明の「垂木の加工データを生成するための情報」と本願発明の「家屋の図面」とは、ともに「加工データを生成するための入力情報」である点で、また、刊行物１記載の発明の「垂木の加工データを生成する演算処理プログラム」と本願発明の「柱材、横架材、ホゾ、ホゾ孔等の仕口加工のための加工データを生成するための演算プログラム」とは、ともに「木材のプレカット加工のための加工データを生成する演算プログラム」である点で共通している。
　したがって、両者は、以下の点で一致している。
「木造住宅の建築のための木材プレカット加工用ＣＡＤ／ＣＡＭデータ作成装置であって、加工データを生成するための入力情報に基づいて、木材のプレカット加工のための加工データを生成する演算プログラムをインストールされたコンピュータを備えた木材プレカット加工用ＣＡＤ／ＣＡＭデータ作成装置。」
　そして、以下の各点で相違している。
　
（相違点１）　
　本願発明は、「加工データを生成するための入力情報」が「家屋の図面」であり、「木材のプレカット加工のための加工データを生成する演算プログラム」は「柱材、横架材、ホゾ、ホゾ孔等の仕口加工のための加工データを生成するための演算プログラム」であって、屋根勾配及び破風板の幅を考慮して、桁のけらば落としのための加工情報を生成するけらば落とし加工情報生成プログラムを含んでいるのに対して、刊行物１記載の発明は、「加工データを生成するための入力情報」がどのようなものか不明であり、「木材のプレカット加工のための加工データを生成する演算プログラム」は、「垂木の加工データを生成するための演算処理プログラム」であって、桁のけらば落としのための加工情報を生成するためのプログラムを含んでいるものではない点。
（相違点２）
　相違点１に関連して、本願発明は、演算プログラムに含まれるけらば落とし加工情報生成プログラムが、屋根高さ及び屋根勾配に関する情報を設定するステップ（１３−１）を含んでおり、屋根高さ及び屋根勾配に関する情報について、予め設定されている標準仕様の情報と、任意入力による情報のいずれを用いるかを判定し、任意入力による情報を用いると判定された場合には、入力手段を介して入力された屋根高さ及び屋根勾配に関する情報を前記桁のけらば落としのための加工情報を算出するための演算処理に用いる情報として設定し、標準使用の情報を用いると判定された場合には、標準仕様の情報を前記けらば落としのための加工情報を算出するための演算処理に用いる情報として設定するステップ（１３−２）とを含んでいるのに対して、刊行物１記載の発明は、そもそもけらば落とし加工情報生成プログラムを含んでいるものではなく、屋根高さ及び屋根勾配に関する情報を設定するステップを含んでいるか否か明らかではない点。
（相違点３）
　相違点１に関連して、本願発明は、演算プログラムに含まれるけらば落とし加工情報生成プログラムが、屋根高さ、屋根勾配及び破風板の幅に関する情報と、桁の取付位置及び寸法・形状に関する情報とから、当該桁の側面と破風板の上縁及び下縁との交点を算出するステップと、破風板の上縁側にけらば落としの必要な範囲が存在する結果が算出された場合は、当該桁の屋根頂上側の側面について算出された交点の高さを当該桁の高さに変更するステップと、破風板の下縁側にけらば落としの必要な範囲が存在する結果が算出された場合は、当該桁の壁面からの延在長さを算出し、当該桁の先端から前記延在長さに対応する範囲を前記けらば落としのための加工範囲とするステップを備えているのに対して、刊行物１記載の発明は、そもそもけらば落とし加工情報生成プログラムを含んでいない点。
　
　上記各相違点について検討する。
（相違点１について）　
　木造住宅の建築における柱や梁などの木材をプレカット加工するに際して、住宅の間取り図等に応じた入力情報を基に伏図や部材の加工図をＣＡＤによって作成し、該加工図より加工データを生成すること、及び、生成された加工データをＣＡＭへ送って、加工データをプレカット加工機を制御する制御データに変換して該加工機によって木材の加工を行うことは周知の技術であって（必要であれば、特開平９−１０４００４号公報：段落【００２１】〜【００２３】参照。）、ＣＡＤへの入力情報として、家屋の図面を採用することは当業者が必要に応じて適宜なし得た事である。
　してみると、刊行物１記載の発明のＣＡＤ／ＣＡＭによる垂木のプレカット技術を他の部材のプレカットに採用することは当業者が適宜なし得たことであり、刊行物１記載の発明の「垂木の加工データを生成するための情報に基づいて垂木の加工データを生成するための演算処理プログラム」を他の部材についても対象として「家屋の図面に基づき、柱材、横架材、ホゾ、ホゾ孔等の仕口加工のための加工データを生成するための演算プログラム」とすることは、当業者が適宜なし得たことである。
　そして、該演算プログラムによって、どのような部材の加工データを生成できるようにするかは当業者が適宜決定できる設計事項であって、けらば落としの加工データを生成するためのプログラムを含ませることに何ら困難性はない。
　ここで、「けらば落とし加工情報生成プログラム」について検討する。
　従来より、屋根仕上げの一つとして、けた、母屋等の木口の腐朽を防ぐためと、見栄えを良くするために、前記けた、母屋等の木口に破風板を取り付けることが周知となっており、その目的のために破風板をけたや母屋の木口を隠すために十分な幅に設計するのが普通である（必要があれば、実願昭６３−１９３１６号（実開平１−１２９３２３号）のマイクロフィルム：２頁参照。）。
　本願発明の「けらば落とし加工情報生成プログラム」は、屋根勾配及び破風板の幅を考慮して、桁のけらば落としのための加工情報を生成するものであるが、上記のように普通は十分な幅をもって設計される破風板について、何らかの理由により破風板の幅等に制限があり、強度や構造等の理由により桁や母屋の寸法や配置位置に制限がある場合に、桁や母屋のけらば部分の破風板からはみ出す部分を切り落とすための加工情報を生成するものと解することができる。
　しかしながら、木造住宅の建築において、何らかの理由により桁や母屋のけらば部分が破風板からはみ出す場合には、上記破風板を取り付ける意味から考えて該はみ出し部分を切り落とそうと考えることは当業者であれば当然思い至ることであって、切り落とす部分を桁の寸法や取付位置、屋根高さ、屋根勾配、破風板の寸法等から幾何学的に導き出すことは当業者にとって容易である。
　そして、上記桁の切り落とす部分を導き出す手法をプログラム化すること、つまり、本願発明の「けらば落とし加工情報生成プログラム」を作成することに何ら困難性はない。
　以上より、刊行物１記載の発明の「垂木の加工データを生成するための演算処理プログラム」を、「家屋の図面に基づき、柱材、横架材、ホゾ、ホゾ孔等の仕口加工のための加工データを生成するための演算プログラム」とし、該演算プログラムに「けらば落とし加工情報生成プログラム」を含ませるよう構成することは、当業者が容易になし得たことである。
　
（相違点２について）
　上記「（相違点１について）」で述べたとおり屋根高さ及び屋根勾配等の情報を基にけらば落としの部分を導き出す「けらば落とし加工情報生成プログラム」を作成することは当業者が容易になし得たことであるが、該「けらば落とし加工情報生成プログラム」によってけらば落としの部分を設定するためには屋根高さや屋根勾配等の情報を入力する必要があるから、これらの情報を入力するステップを設けることは当然である。
　また、データを入力することにより、ある出力を得るプログラムや制御手段において、入力データとしてデフォルト値を設定しておき、所望の入力データがデフォルト値と異なる場合には、デフォルト値に代えてデータを任意に入力できるように制御、管理することは例示するまでもなく周知技術であり、前記プログラムや制御手段はデフォルト値に代えて任意のデータが入力されれば、入力されたデータを使って計算等を行うのが普通である。
　そして、上記相違点２に係る構成の「屋根高さ及び屋根勾配に関する情報について、予め設定されている標準仕様の情報」及び「任意入力による情報」が、上記周知技術の「デフォルト値」及び「デフォルト値に代えて入力されたデータ」に相当している。
　さらに、上記相違点２に係る構成の「任意入力による情報のいずれを用いるかを判定」するとは、発明の詳細な説明（特に、平成１９年６月１日付け補正書段落【００１３】）、及び図面（特に【図５】）の記載からみて、単に、標準仕様の情報に代わる任意の情報が入力されたか否かによって判定されているものであるから、その点も上記周知技術と変わるものではない。
　してみると、上記相違点２に係る本願発明の構成は、「けらば落とし加工情報生成プログラム」に必要なデータの設定に上記周知技術を適用しただけのことであり、刊行物１記載の発明の演算プログラムとして「けらば落とし加工情報生成プログラム」を採用するに際して、当業者が必要に応じて適宜なし得た設計事項に過ぎない。
　
（相違点３について）
　屋根高さ、屋根勾配及び破風板の幅に関する情報と、桁の取付位置及び寸法・形状に関する情報等から本願発明の「けらば落としのための加工」を行うための加工データが幾何学的に算出できることは、当業者であれば自明のことである。
　そして、相違点３に係る「桁の側面と破風板の上縁及び下縁との交点を算出し、破風板の上縁側にけらば落としの必要な範囲が存在する結果が算出された場合は、当該桁の屋根頂上側の側面について算出された交点の高さを当該桁の高さに変更する」という構成は、桁の屋根頂上側の側面との交点より上の部分は切り落とすことになり、桁の該交点以上の部分は不要であるから結果的に桁の高さを低くするのは当然のことであって、けらば落としの加工データを生成する方法として格別なものではなく、当業者にとって思い至らない構成であるとは認められず、また、「破風板の下縁側にけらば落としの必要な範囲が存在する結果が算出された場合は、当該桁の壁面からの延在長さを算出し、当該桁の先端から前記延在長さに対応する範囲を前記けらば落としのための加工範囲とする」という構成は、けらば落としの必要な範囲は壁から突出する部分のみであるから、けらば落としの加工データを生成する方法として、当業者にとって普通の方法に過ぎない。
　したがって、上記相違点３に係る本願発明の構成は、刊行物１記載の発明に「けらば落とし加工情報生成プログラム」を採用するに際して、当業者が必要に応じて適宜なし得た設計事項に過ぎない。
　
　そして、本願発明全体の効果も刊行物１記載の発明及び周知技術から当業者が予測し得る範囲のものであって格別なものということができない。
　
　したがって、本願発明は、刊行物１記載の発明及び周知技術から当業者が容易に発明をすることができたものであり、特許法第２９条第２項の規定により特許を受けることができない。
　
【３】むすび  
　以上のとおり、本願発明は特許を受けることができないから、本願のその余の請求項に係る発明について検討するまでもなく、本願は拒絶すべきものである。
　よって、結論のとおり審決する。